(57)【要約】【課題】電気泳動表示素子において、残留ＤＣ成分を補正する駆動方法を提供する。【解決手段】走査電極と情報電極とをマトリクス配置して形成した表示画面を有する表示パネルと、走査電極を駆動する第１の手段及び情報電極を駆動する第２の手段を有する表示装置の駆動方法であって、前記表示パネルにおける表示画像を書込む際に、書込み以前の書込み履歴に応じた駆動を行うことを特徴とする表示装置の駆動方法。【選択図】      図１
2004271609.tif 000002
【特許請求の範囲】
【請求項１】
走査電極と情報電極とをマトリクス配置して形成した表示画面を有する表示パネルと、走査電極を駆動する第１の手段及び情報電極を駆動する第２の手段を有する表示装置の駆動方法であって、
前記表示パネルにおける表示画像を書込む際に、書込み以前の書込み履歴に応じた駆動を行うことを特徴とする表示装置の駆動方法。
【請求項２】
請求項１記載の書込み以前の書込み履歴が、直前の駆動電圧履歴を含むことを特徴とする表示装置の駆動方法。
【請求項３】
請求項１記載の書込み以前の書込み履歴が、直前のみでなく前Ｎ回（Ｎ≧１）の駆動電圧履歴を含むことを特徴とする表示装置の駆動方法。
【請求項４】
請求項１に記載の書込み以前の書込み履歴が、最後の駆動からの経過時間情報を含むことを特徴とする表示装置の駆動方法。
【請求項５】
請求項１に記載の書込み以前の書込み履歴が、書込み直前の該表示パネルの表示状態情報を含むことを特徴とする表示装置の駆動方法。
【請求項６】
請求項１記載の表示装置の駆動方法は、
書込み以前の書込み履歴を参照して、所望の書込みレベルが得られるように、リセットパルス条件、及び又は、書込みパルス条件を決定することを特徴とする表示装置の駆動方法。
【請求項７】
請求項１記載の表示装置の駆動方法は、
書込み以前の履歴を参照して、書込み時に表示素子部に実効的に印加される内部電界が実質的に等しくなるように、リセットパルス条件、及び又は、書込みパルス条件を決定することを特徴とする表示装置の駆動方法。
【請求項８】
請求項７記載の該リセットパルスは、
表示状態をあらゆる階調レベルから初期化しうる最低限のパルスＶ１と、
書込み時に表示素子部に実効的に印加される内部電界が実質的に等しくなるように変調した、書込み以前の書込み履歴に応じたパルスＶ２の和、であることを特徴とする表示装置の駆動方法。
【請求項９】
請求項１記載の表示装置における、表示パネルにおいてそのパネル構成は、一対の基板と少なくとも一方の基板に一対の電極を設けた基板、もしくは、一対の各基板に少なくとも一つの電極を設けた基板間に、配置された帯電泳動粒子と該粒子を分散させている媒質を有する事を特徴とする、請求項１から請求項８に記載の表示装置の駆動方法。
【請求項１０】
請求項７及び８記載の表示素子部は、帯電泳動粒子を分散させている媒質部であることを特徴とする、請求項１から請求項８に記載の表示装置の駆動方法。
【請求項１１】
請求項１記載の表示装置が液晶表示装置であって、請求項７及び８記載の表示素子部が、液晶分子層であることを特徴とする、請求項１から請求項８に記載の表示装置の駆動方法。
【発明の詳細な説明】
【０００１】
【発明の属する技術分野】
本発明は、表示装置の駆動方法に関する発明である。
【０００２】
【背景技術】
情報機器の発達に伴い、低消費電力且つ薄型の表示装置のニーズが増しており、これらのニーズに合わせた表示装置の研究、開発が盛んに行われている。
【０００３】
特にウエアラブルＰＣや電子手帳等の用途から屋外で使用されることが多く、低消費電力かつ省スペースであることが望まれるため、例えば液晶ディスプレイ等の薄型ディスプレイによる表示機能と座標入力処理を一体化し、ディスプレイに表示された内容をペン或いは指で押圧操作することにより直接的に入力できる物が製品化されている。
【０００４】
しかし、多くの液晶はいわゆるメモリ性が無い為、表示期間中は液晶に対して電圧印加を行い続ける必要がある。一方で、メモリ性を有する液晶においては、ウエアラブルＰＣのようにさまざまな環境における使用を想定した場合の、信頼性を確保することが難しく実用化には至っていない。
【０００５】
そこで、メモリ性を有する、薄型軽量ディスプレイ方式の一つとして、Ｈａｒｏｌｄ  Ｄ．Ｌｅｅｓ等により電気泳動表示装置が提案されている（特許文献１）。
【０００６】
この種の電気泳動表示装置は、所定間隙を空けた状態に配置された一対の基板と、これらの基板の間に充填された絶縁性液体と、該絶縁性液体に分散された多数の着色帯電泳動粒子と、それぞれの基板に沿うように各画素に配置された表示電極とを備えている。
【０００７】
この装置において、着色帯電泳動粒子は、正極性又は負極性に帯電されているため、表示電極に印加される電圧の極性に応じていずれかの表示電極に吸着され、例えば上部電極に着色粒子が吸着され着色粒子が見える状態と、下部電極に着色粒子が吸着され、絶縁性液の色が見える状態を印加電圧によって制御する事でさまざまな画像を表示する事を可能とする。このタイプの装置を“上下移動型”と称している。
【０００８】
このメモリ性を活用したアクティブマトリックス形式の電気泳動表示装置の駆動方法が、特許文献２，３に提案されている。リセット期間にあっては、各画素電極にリセット電圧を書き込む。次に、書込み動作期間にあっては、一定電圧を画像データの指示する階調値に応じた期間だけ、あるいは、一定期間に画像データの指示する階調値に応じた電圧だけ、各画素電極に印加電圧を印加する。この後、各画素電極に共通電極電圧を書込む。これにより、画素容量に蓄積された電荷を放電し、分散系に電界を作用させるようにする。この後、表示画像を保持する。
【０００９】
【特許文献１】
米国特許ＵＳＰ３６１２７５８公報
【特許文献２】
特開２００２−１１６７３３
【特許文献３】
特開２００２−１１６７３４
【００１０】
【発明が解決しようとする課題】
上記表示装置の駆動において、画像データの指示する階調値にのみ応じた書込みを行うと、所望の階調値表示が得られない場合がある。前記現象を引き起こす原因として、表示素子に残留しているＤＣ成分の影響が想定される。正あるいは負電圧の、片極電圧駆動を行う表示装置の駆動においては、表示素子にＤＣ成分が残留してしまい、書込み時の印加電圧と、素子にかかる実効的な電圧に差が生じてしまうことである。この残留するＤＣ成分による、所望の階調値表示が得られない現象を、焼きつき、と以下呼ぶものとする。電気泳動表示装置においては、着色帯電泳動粒子が、正極性又は負極性に帯電されているため、書込み動作は片極駆動を行うことが想定され、この場合前記した焼きつきが生じてしまう。
【００１１】
以下、焼きつき、および、残留ＤＣについて図２を用いて詳しく説明する。
【００１２】
図２は電気泳動表示装置の構成の一例を示すものである。正に帯電した黒粒子２１と負に帯電した白粒子２２と、液体と複数の帯電泳動粒子とを含む分散液２３と、電圧を印加して該分散液中に電界を形成するための第１電極２４と、第２電極２５からなる電極群と、該分散液と該第１電極を隔てる絶縁層２６、該分散液と該第２電極を隔てる絶縁層２７、隣接する画素とを隔てる隔壁２８を備える。この種の電気泳動表示装置において、各部材の物性により各部位の電荷の緩和時定数が異なる。ここで、該分散液部分の時定数をτ１、該絶縁層部分の時定数をτ２、τ１≪τ２とする。例えば、第１電極と第２電極との間に、片極性の電圧を印加し続けた場合には、τ２が大きく電荷の溜まり難い絶縁層部分の両端にも電荷が溜まってしまう。その後、該電極間を０Ｖにしても、絶縁層部分は電荷の緩和時間も長いので、電荷が長い間残留してしまう。その結果、前記電極間には０Ｖを印加しているにも関わらず、分散液部分の上下端には残留電荷に起因する内部電圧が発生してしまう。ここで生じてしまう電圧差が、残留ＤＣである。この残留ＤＣによって、印加電圧とは異なる電圧が分散液部分の上下端にかかり、焼きつきが生じてしまう。
【００１３】
前記した現象により、表示する画像情報のみを参照した書込み動作を行った場合、表示素子に所望の電圧を印加することができず、所望の表示状態が得られらなくなる。
【００１４】
本発明は、上記問題点を解決するためになされたものであり、残留したＤＣ成分による影響を踏まえた書込みを行うことで、良好な表示状態が得られる表示装置の駆動方法を提供するものである。
【００１５】
【課題を解決するための手段】
上記目的を達成する為に、本発明は、走査電極と情報電極とをマトリクス配置して形成した表示画面を有する表示パネルと、走査電極を駆動する第１の手段及び情報電極を駆動する第２の手段を有する表示装置の駆動方法において、前記表示パネルにおける表示画像を書込む際に、書込み以前の書込み履歴に応じた書込みを行う。
【００１６】
【発明の実施の形態】
本発明の概念は、表示装置の駆動において、書込み期間に正あるいは負のいずれかに偏った電圧を印加、表示素子内部にＤＣ成分が重畳してしまった際に、前記ＤＣ成分の補正駆動を行うため、書込み以前の書込み履歴に応じた書込みを行うことである。また前記した書込み以前の書込み履歴として、前Ｎ回の駆動情報、直前の駆動からの経過時間情報、現時点での表示状態情報のうち、いずれか、あるいは、複数情報を参照するものである。
【００１７】
以下、本発明の駆動方法の説明として、電気泳動表示装置を一例として説明するが、これに限定されるものではなく、ポリマーネットワーク液晶、強誘電性液晶、といった表示装置に対しても適用できる。
【００１８】
なお、本発明の駆動方法は、上下移動型電気泳動表示装置に対しても、水平移動型電気泳動表示装置に対しても適用できる。
【００１９】
また、本発明において、前記帯電泳動粒子と分散媒を多数のマイクロカプセルのそれぞれに内包させるようにしてもよい。
【００２０】
（実施例１）
図３は表示パネルとして電気泳動表示パネルを用いたシステム構成を示すブロック図である。グラフィックコントローラ３１、グラフィックメモリ３２、パネルコントローラ３３、直前の画像情報メモリ３４、直前の画像表示後からの経過時間管理部３５、ソースドライバ３６、ゲートドライバ３７、電気泳動表示パネル３８から構成される。
【００２１】
グラフィックコントローラ３１はグラフィックメモリ３２の画像データ、直前の画像情報メモリ３４の画像データ、直前の画像表示後からの経過時間管理部３５のデータ、をもとに出力データを合成し情報転送クロックに従ってパネルコントローラ３３に出力する。詳しい説明は後述する。
【００２２】
また、パネルコントローラ３３は、グラフィックコントローラ３１から入力された画像データに基づいて、フィールド同期信号、水平同期信号、データ取り込みクロックなどの制御信号、および表示データを生成し、ソースドライバ３６、ゲートドライバ３７に転送される。
【００２３】
ソースドライバ３６、ゲートドライバ３７は、パネルコントローラ３３より受信した制御信号、表示データに従って、電気泳動表示パネル３８に駆動電圧を出力して表示を行う。
【００２４】
電気泳動表示パネル３８の一画素に対する配線図を図４に示す。電気泳動表示素子４１の第１電極がアクティブマトリクス駆動表示用の薄膜トランジスタ４２（Ｔｈｉｎ  Ｆｉｌｍ  Ｔｒａｎｓｉｓｔｏｒ：以下、ＴＦＴ４２と称する）のドレイン電極に接続され、第２電極が電圧Ｖｃｏｍである共通電極４５に接続されている。全画素の第２電極が共通電極４５に接続される。また、ゲートライン４３はＴＦＴ４２のゲート電極、ソースライン４４はＴＦＴ４２のソース電極に接続される。
【００２５】
図２は電気泳動表示パネルの一画素の断面図を示すものである。正に帯電した黒粒子２１と負に帯電した白粒子２２と、液体と複数の帯電泳動粒子とを含む分散液２３と、電圧を印加して該分散液中に電界を形成するための第１電極２４と、第２電極２５からなる電極群と、該分散液と該第１電極を隔てる絶縁層２６、該分散液と該第２電極を隔てる絶縁層２７、隣接する画素とを隔てる隔壁２８を備える。
【００２６】
以下に電気泳動表示パネル３８のある一画素の画素電極間電圧波形を図５（１−ａ）に示す。また、その光学応答を図５（１―ｂ）に示す。図５において、Ａはリセット期間、Ｂは書込み期間、Ｃは保持容量Ｃｓに蓄積された電荷が抜けていく期間を示している。リセット期間（Ａ）の前の期間は前回に行った表示状態を示していると考えてよい。リセット期間においてリセット電圧Ｖｒを印加して、前回に行った表示をリセットする。そして書込み期間（Ｂ）において、書込み電圧Ｖｗを印加することによって素子を駆動して表示を行う。書込み電圧Ｖｗの大きさによって所望の階調レベルを制御することができる。
【００２７】
また、上記した書込み期間Ｂによって既に書込みメモリが完了している場合には、Ｃの期間において画素電極に対して０Ｖを印加してもよい。この際の画素電極間電圧波形を図５（２−ａ）、光学応答を図５（２−ｂ）に示す。
【００２８】
本実施例における表示素子の光学応答特性を図６に示す。表示のリセットを、表示を黒状態に揃えることとすると、あらゆる表示状態から黒状態にリセットするためには、電圧Ｖｒを必要とする。しかしながら、このリセット以前の書込み履歴によって、各画素の残留ＤＣの値にばらつきが生じている。ここで、全ての画素にＶｒの電圧を印加すると、書込みを行う時点における各画素の残留ＤＣの値にもばらつきが生じたままである。その残留ＤＣのばらつきによって、書込み電圧Ｖｗを印加しても、所望の階調表示が得られない可能性がある。
【００２９】
本実施例においては、残留ＤＣの補正駆動を、リセット電圧の調整により行う。上記リセット期間（Ａ）において、リセットを行う際に、各画素の粒子位置を初期状態（黒状態）に揃えるだけでなく、さらに、各画素の残留ＤＣの値を一定値に揃えるものとする。
【００３０】
以下、具体的な駆動方法について説明する。
【００３１】
まず、残留ＤＣの補正駆動を行わなかった場合の、電気泳動表示パネル３８のある一画素に対しての諸信号波形を図７に示す。ゲートドライバから入力される走査信号パルスを図７（ａ）に、ソースドライバから当画素に入力される情報信号パルスを図７（ｂ）に、画素電極間電圧波形と画素分散液部分の上下端にかかる電圧波形を図７（ｃ）に、光学応答を図７（ｄ）に示す。まず、リセットフィールド１において、ゲートパルスに同期して、ソースドライバよりリセットパルスＶｒ１が印加される。その後、書込みフィールド１において、Ｖｗ１が印加され、書込みが行われる。その後、期間Ｔ１において、徐々に電圧が減衰する。本実施例においては、この減衰はＴＦＴのＯＦＦ抵抗により徐々に電荷がぬけていくことにより、電圧が減衰するものとする。同様に、リセットフィールド２でＶｒ２が、書込みフィールド２でＶｗ２が、期間Ｔ２において徐々に電圧が減衰する。以下、Ｖｒ３、Ｖｗ３、Ｔ３も同様である。
【００３２】
この場合、図７（ｃ）に示すように、各書込みフィールドの開始時において、各画素の分散液部分の上下端にかかっている電圧の値がばらついている。このばらつきは、残留ＤＣによるものである。このばらつきの為、分散液部分の上下端に所望の信号を印加することができず、所望の階調レベルが得られない。この場合、所望の階調レベルＲ１に対して、表示された階調レベルはＲ１ａ、Ｒ１ｂといった値になってしまう。
【００３３】
次にリセットパルス制御を行い、残留ＤＣの補正駆動を行った場合の、電気泳動表示パネル３８のある一画素に対しての諸信号波形を図１に示す。ゲートドライバから入力される走査信号パルスを図１（ａ）に、ソースドライバから当画素に入力される情報信号パルスを図１（ｂ）に、画素電極間電圧波形と画素分散液部分の上下端にかかる電圧波形を図１（ｃ）に、光学応答を図１（ｄ）に示す。まず、リセットフィールド１において、ゲートパルスに同期して、ソースドライバよりリセットパルスＶｒ１が印加される。（ここでは、粒子の位置状態、残留ＤＣの値も一定値に制御できているものと仮定する。）その後、書込みフィールド１において、Ｖｗ１が印加され、書込みが行われる。その後、期間Ｔ１において、徐々に電圧が減衰する。本実施例においては、この減衰はＴＦＴのＯＦＦ抵抗により徐々に電荷がぬけていくことにより、電圧が減衰するものとする。同様に、リセットフィールド２でＶｒ２が、書込みフィールド２でＶｗ２が、期間Ｔ２において徐々に電圧が減衰する。以下、Ｖｒ３、Ｖｗ３、Ｔ３も同様である。なお、図１においては、Ｖｗ１、Ｖｗ２、Ｖｗ３、それぞれ所望の反射率（階調レベル）をＲ１、Ｒ２、Ｒ２とした。
【００３４】
リセットパルスＶｒ（ｎ）は、残留ＤＣの値を一定値にそろえるため、直前の画像情報メモリ３４の画像データ、直前の画像表示後からの経過時間管理部３５のデータをもとに、グラフィックコントローラ３１で演算を行い、パルスデータが合成され、パネルコントローラ３３を介して、ソースドライバから印加される。つまり、Ｖｒ２は、Ｖｗ１、Ｔ１を参照して、Ｖｒ３はＶｗ２、Ｔ２を参照して合成される。具体的な合成式は、
【００３５】
【外１】
2004271609.tif 000003
とおける。つまり、
【００３６】
【外２】
2004271609.tif 000004
【００３７】
【外３】
2004271609.tif 000005
【００３８】
となる。ここで、Ｖｒはあらゆる表示状態から黒状態にリセット可能な電圧である。また、Ｆ｛Ｔ（ｎ）｝は実験で得られた実測値をもとに合成した関数であり、経過時間Ｔ（ｎ）の関数である。
【００３９】
またリセットパルスＶｒ（ｎ）のパルスデータは、データ変換テーブルを用いて合成してもよい。データ変換テーブルは、実験データをもとに作製する。例えば、Ｖｒ２はＶｗ１とＴ１を参照して、Ｖｒ３はＶｗ２とＴ２を参照して、データ変換テーブルを介して合成される。
【００４０】
以上のリセット電圧を用いた残留ＤＣ補正方法は、直前の書き込み電圧と、その後のＴＦＴ駆動電圧の減衰時間の所定関数との積で決まる補正電圧を、あらゆる表示状態から黒状態にリセット可能な標準のリセット電圧に上乗せすることによって補正するものである。この補正されたリセットパルスを印加した直後の各画素は、残留ＤＣの値が一定に揃うので、引き続く書き込みフィールドで、所定の書き込み電圧を印加することにより、残留ＤＣの影響を受けない階調表示が得られる。
【００４１】
リセットパルスＶｒ（ｎ）の精度を上げるために、前Ｎ回（Ｎ≧２）の駆動情報を参照してもよい。
【００４２】
この補正値を加えたリセットパルスＶｒ（ｎ）を印加することで、リセット期間において、各画素の粒子位置を初期状態（黒状態）に揃えるだけでなく、各画素の残留ＤＣの値を一定値に揃えることができた。その結果、各画素の階調レベル制御性が改善され、表示特性を改善することができた。
【００４３】
（実施例２）
本実施例では、実施例１と同じ表示装置を使用した。本実施例においては、残留ＤＣの補正駆動を、書込みパルスの電圧値を調整することによって行う。書込み以前の書込み履歴を参照することで、リセット終了時における残留ＤＣ成分をふまえた書込みが可能となり、分散液部分の上下端に所望の信号を印加することができる。
【００４４】
以下図を用いて、具体的な駆動方法について説明する。
【００４５】
書込みパルスにより、階調制御と残留ＤＣ補正を同時に行った場合の、電気泳動表示パネル３８のある一画素に対しての諸信号波形を図８に示す。ゲートドライバから入力される走査信号パルスを図１（ａ）に、ソースドライバから当画素に入力される情報信号パルスを図１（ｂ）に、画素電極間電圧波形と画素分散液部分の上下端にかかる電圧波形を図１（ｃ）に、光学応答を図１（ｄ）に示す。まず、リセットフィールド１において、ゲートパルスに同期して、ソースドライバよりリセットパルスＶｒ１が印加される。（ここでは、粒子の位置状態、残留ＤＣの値も一定値に制御できているものと仮定する。）その後、書込みフィールド１において、Ｖｗ１が印加され、書込みが行われる。その後、期間Ｔ１において、徐々に電圧が減衰する。本実施例においては、この減衰はＴＦＴのＯＦＦ抵抗により徐々に電荷がぬけていくことにより、電圧が減衰するものとする。同様に、リセットフィールド２でＶｒ２が、書込みフィールド２でＶｗ２が、期間Ｔ２において徐々に電圧が減衰する。以下、Ｖｒ３、Ｖｗ３、Ｔ３も同様である。なお、図８においては、反射率Ｒ１を所望の反射率（階調レベル）としている。
【００４６】
本実施例における表示装置の階調レベルは、分散液部分の上下端にかかる電圧の値が司るので、分散液部分の上下端にかかる電圧が所望の値になるように、書込みパルスＶｗ（ｎ）を合成する。この時、残留ＤＣ成分をふまえて、書込みパルスＶｗ（ｎ）を合成する。残留ＤＣ成分は、書込み履歴を参照して見積もることができる。
【００４７】
書込みパルスＶｗ（ｎ）は、直前の画像情報メモリ３４の画像データ、直前の画像表示後からの経過時間管理部３５のデータをもとに、グラフィックコントローラ３１で、書込みパルスデータが合成され、パネルコントローラ３３を介して、ソースドライバから印加される。書込みパルスＶｗ（ｎ）のパルスデータは、データ変換テーブルを用いて合成する。データ変換テーブルは、実験データをもとに作製する。例えば、Ｖｗ２はＶｗ１とＴ１を参照して、Ｖｗ３はＶｗ２とＴ２を参照して、データ変換テーブルを介して合成される。
【００４８】
以上の書き込みパルス電圧を用いた残留ＤＣ補正方法は、直前の書き込み電圧と、その後のＴＦＴ駆動電圧の減衰時間とから、あらかじめ決められたデータ変換テーブルを用いて書き込みパルス電圧を補正するものである。書込みパルスＶｗ（ｎ）の精度を上げるために、前Ｎ回（Ｎ≧２）の駆動情報を参照してもよい。
【００４９】
この残留ＤＣ補正を加えた書込みパルスＶｗ（ｎ）を印加することで、各画素の分散液部分の上下端にかかる電圧の値を制御することができた。その結果、各画素の階調レベル制御性が改善され、表示特性を改善することができた。
【００５０】
（実施例３）
実施例２の駆動方法はリセットなしの駆動方法に用いてもよい。リセットなしの駆動の場合は、直前の表示状態を参照して、書込みパルスを合成する。この際、書込み以前の書込み履歴をも参照することで、書込み時における残留ＤＣ成分をふまえた書込みが可能となり、分散液部分の上下端に所望の信号を印加することができる。
【００５１】
以上に示した方法により、各画素の分散液部分の上下端にかかる電圧の値を制御することができた。その結果、各画素の階調レベル制御性が改善され、表示特性を改善することができた。
【００５２】
（実施例４）
また実施例１から３において、期間Ｔ（ｎ）が大きな値の場合、長期間放置による焼きつきが生じてしまうことがある。
【００５３】
以上示した方法により、残留ＤＣ成分の補正だけでなく、長期間放置による焼きつきの補正も行うことができ、電気泳動表示装置の階調制御性が改善され、表示特性を改善することができた。
【００５４】
【発明の効果】
以上説明したように、表示装置の駆動方法において、表示画像を書込む際に、書込み以前の書込み履歴に応じた駆動を行うことにより、表示素子に残留するＤＣ成分の影響を考慮した書込みを行うこととなり、良好な表示特性を得ることが可能となる。
【図面の簡単な説明】
【図１】
本発明の実施形態に係る電気泳動表示素子のある一画素に対する諸信号波形を示す図である。
【図２】
電気泳動表示素子の一画素の断面を模式的に示した図である。
【図３】本発明の実施形態に係る表示装置の駆動システムブロック図である。
【図４】本発明の実施形態に係る電気泳動表示パネルの一画素の模式図である。
【図５】本発明の実施形態に係る表示パネルの一画素にかかる画素電極間電圧波形とその光学応答である。
【図６】本発明の実施形態に係る表示パネルの電圧−光学応答（反射率）特性を示す図である。
【図７】残留ＤＣ補正を行わなかった場合の、電気泳動表示素子のある一画素に対する諸信号波形を示す図である。
【図８】本発明の実施形態に係る電気泳動表示素子のある一画素に対する諸信号波形を示す図である。
【符号の説明】
２１  電気泳動粒子（黒）
２２  電気泳動粒子（白）
２３  分散液
２４  画素第１電極
２５  画素第２電極
２６  分散液と第１電極を隔てる絶縁層
２７  分散液と第２電極を隔てる絶縁層
２８  隣接する画素を隔てる隔壁
３１  グラフィックコントローラ
３２  グラフィックメモリ
３３  パネルコントローラ
３４  直前の画像情報メモリ部
３５  直前の画像表示後からの経過時間管理部
３６  ゲートドライバ
３７  ソースドライバ
３８  電気泳動表示パネル
４１  電気泳動素子部
４２  ＴＦＴ
４３  ゲートライン
４４  ソースライン
４５  共通電極
４６  保持容量Ｃｓ
【図１】
2004271609.tif 000006
【図２】
2004271609.tif 000007
【図３】
2004271609.tif 000008
【図４】
2004271609.tif 000009
【図５】
2004271609.tif 000010
【図６】
2004271609.tif 000011
【図７】
2004271609.tif 000012
【図８】
2004271609.tif 000013